(57)【要約】      （修正有）【課題】ＢＧＭ演奏されている楽曲を歌唱したいと考えた利用者が違和感を持つことなく、楽曲のカラオケ歌唱をスムーズに行うことを可能とするカラオケ装置を提供する。【解決手段】カラオケ装置１は、伴奏データに基づいて、カラオケ演奏及びＢＧＭ演奏に用いる放音信号を生成する音響処理部１４、放音信号に基づいて、カラオケ演奏音またはＢＧＭ演奏音をスピーカから放音させる演奏制御部１００を有する。演奏制御部は、ある楽曲のＢＧＭ演奏中に、ある楽曲のカラオケ演奏への切り替え指示があった場合、切り替え指示があった時点で演奏されている演奏区間の演奏が終了するまでＢＧＭ演奏を行った後、所定の歌唱区間からカラオケ演奏を開始させる。【選択図】図１
2019082571.tif 000002
【特許請求の範囲】
【請求項１】
前奏区間、歌唱区間、及び間奏区間を含む複数の演奏区間から構成される楽曲の伴奏データを記憶する記憶部と、
前記伴奏データに基づいて、カラオケ演奏、及びカラオケ歌唱の予約が入っていない時間帯に行うＢＧＭ演奏に用いる放音信号を生成する音響処理部と、
前記放音信号に基づいて、カラオケ演奏音またはＢＧＭ演奏音をスピーカから放音させる演奏制御部であって、
ある楽曲のＢＧＭ演奏中に、当該ある楽曲のカラオケ演奏への切り替え指示があった場合、当該切り替え指示があった時点で演奏されている演奏区間の演奏が終了するまでＢＧＭ演奏を行った後、所定の歌唱区間から前記カラオケ演奏を開始させる演奏制御部と、
を有するカラオケ装置。
【請求項２】
前記伴奏データはさらに演奏区間として後奏区間を含み、
前記演奏制御部は、後奏区間においてカラオケ演奏への切り替え指示があった場合、後奏区間の演奏が終了するまでＢＧＭ演奏を行った後、前奏区間からカラオケ演奏を開始させ、後奏区間以外の演奏区間においてカラオケ演奏への切り替え指示があった場合、当該演奏区間の演奏が終了するまでＢＧＭ演奏を行った後、前記所定の歌唱区間からカラオケ演奏を開始させることを特徴とする請求項１記載のカラオケ装置。
【請求項３】
前記記憶部は、前記伴奏データに対応したガイドボーカルデータを記憶し、
前記演奏制御部は、前記ＢＧＭ演奏に合わせて第１の音量で前記ガイドボーカルデータに基づく音声を放音させ、前記所定の歌唱区間からのカラオケ演奏に合わせて前記第１の音量よりも小さい第２の音量で前記ガイドボーカルデータに基づく音声を放音させることを特徴とする請求項１または２記載のカラオケ装置。
【請求項４】
前記記憶部は、前記楽曲の歌詞を示す歌詞データを記憶し、
前記所定の歌唱区間からのカラオケ演奏が開始された場合に、前記歌詞データに基づいて、前記ある楽曲の歌詞を表示部に表示させる表示制御部を有することを特徴とする請求項１〜３のいずれか一つに記載のカラオケ装置。
【請求項５】
前記記憶部は、楽曲の前記演奏区間毎に、前記所定の歌唱区間を予め対応付けて記憶していることを特徴とする請求項１〜４のいずれか一つに記載のカラオケ装置。
【発明の詳細な説明】
【技術分野】
【０００１】
本発明はカラオケ装置に関する。
【背景技術】
【０００２】
カラオケ装置には、カラオケ歌唱の予約が入っていない時間帯（曲間）に、新曲紹介、アーティスト紹介などの曲間番組を放音・放映する機能が備わっている。
【０００３】
そして、選曲に悩む利用者の中には、曲間に放音される楽曲（ＢＧＭ）を歌唱してみようと考える者もいる。
【０００４】
特許文献１には、予めカラオケ装置に記憶したＣＭ情報を曲間で出力し、その出力中に予約キーを押すだけでＣＭ情報に対応する楽曲のカラオケ演奏予約ができるという技術が開示されている。
【０００５】
また、特許文献２には、カラオケ演奏が行われず、ＢＧＭ曲の再生が行われる期間内の任意のタイミングにおいてクイック予約キーを押すことにより、再生中のＢＧＭ曲に対応付けられた楽曲の再生を予約する技術が開示されている。
【先行技術文献】
【特許文献】
【０００６】
【特許文献１】特開平８−２４１０９１号公報
【特許文献２】特開２００５−１０７２４５号公報
【発明の概要】
【発明が解決しようとする課題】
【０００７】
ここで、特許文献１や特許文献２に開示された技術を利用した場合、予約キーが押されるとＢＧＭの放音を直ちに中止し、その後、改めて楽曲の最初からカラオケ演奏を行うこととなる。
【０００８】
しかし、ＢＧＭの放音を直ちに中止した場合、カラオケ演奏の開始まで楽曲演奏が途切れてしまうため、利用者や聴衆は違和感を持つ。また、常に楽曲の最初からカラオケ演奏を行う場合、利用者がある楽曲を歌唱したいと考えてから、実際にカラオケ歌唱を開始するまでの流れが悪くなり、興趣性が削がれる。
【０００９】
本発明の目的は、ＢＧＭ演奏されている楽曲を歌唱したいと考えた利用者が違和感を持つことなく、当該楽曲のカラオケ歌唱をスムーズに行うことを可能とするカラオケ装置を提供することにある。
【課題を解決するための手段】
【００１０】
上記目的を達成するための主たる発明は、前奏区間、歌唱区間、及び間奏区間を含む複数の演奏区間から構成される楽曲の伴奏データを記憶する記憶部と、前記伴奏データに基づいて、カラオケ演奏、及びカラオケ歌唱の予約が入っていない時間帯に行うＢＧＭ演奏に用いる放音信号を生成する音響処理部と、前記放音信号に基づいて、カラオケ演奏音またはＢＧＭ演奏音をスピーカから放音させる演奏制御部であって、ある楽曲のＢＧＭ演奏中に、当該ある楽曲のカラオケ演奏への切り替え指示があった場合、当該切り替え指示があった時点で演奏されている演奏区間の演奏が終了するまでＢＧＭ演奏を行った後、所定の歌唱区間から前記カラオケ演奏を開始させる演奏制御部と、を有するカラオケ装置である。
本発明の他の特徴については、後述する明細書及び図面の記載により明らかにする。
【発明の効果】
【００１１】
本発明によれば、ＢＧＭ演奏されている楽曲を歌唱したいと考えた利用者が違和感を持つことなく、当該楽曲のカラオケ歌唱をスムーズに行うことが可能となる。
【図面の簡単な説明】
【００１２】
【図１】実施形態に係るカラオケ装置を示す図である。
【図２】楽曲Ｘの演奏区間の一例を示した図である。
【図３】切り替え指示タイミングと、ＢＧＭ演奏の終了タイミング及びカラオケ演奏の開始タイミングとの関係の一例を示した図である。
【図４】切り替え指示タイミングと、ＢＧＭ演奏の終了タイミング及びカラオケ演奏の開始タイミングとの関係の一例を示した図である。
【図５】楽曲Ｘの演奏区間の一例を示した図である。
【図６】切り替え指示タイミングと、ＢＧＭ演奏の終了タイミング及びカラオケ演奏の開始タイミングとの関係の一例を示した図である。
【図７】実施形態に係るカラオケ装置の処理を示すフローチャートである。
【発明を実施するための形態】
【００１３】
＜実施形態＞
図１〜図７を参照して、本実施形態に係るカラオケ装置１について説明する。
【００１４】
＝＝カラオケ装置＝＝
カラオケ装置１は、利用者が選曲した楽曲のカラオケ演奏、ＢＧＭ演奏、及び利用者がカラオケ歌唱を行うための装置である。カラオケ演奏は、利用者がカラオケ歌唱する際に行われる演奏である。ＢＧＭ演奏は、カラオケ歌唱の予約が入っていない時間帯に行われる演奏である。図１に示すように、カラオケ装置１は、カラオケ本体１０、スピーカ２０、表示装置３０、マイク４０、及びリモコン装置５０を備える。
【００１５】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声（マイク４０からの入力音声）をアナログの歌唱音声信号に変換してカラオケ本体１０に入力するための構成である。
【００１６】
（カラオケ本体のハードウェア）
図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１７】
カラオケ本体１０は、選曲された楽曲のカラオケ演奏処理、ＢＧＭ演奏処理、歌詞や背景画像等の表示処理、マイク４０を通じて入力された歌唱音声信号の処理といった、各種処理を行う。
【００１８】
制御部１１は、ＣＰＵおよびメモリ（いずれも図示無し）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。本実施形態においてＣＰＵがメモリに記憶されるプログラムを実行することにより、制御部１１は、演奏制御部１００及び表示制御部２００として機能する（詳細は後述）。
【００１９】
通信部１２は、ルーター（図示なし）を介してカラオケ本体１０を通信回線に接続するためのインターフェースを提供する。
【００２０】
記憶部１３は、各種のデータを記憶する大容量の記憶装置であり、たとえばハードディスクドライブなどである。記憶部１３は、複数の楽曲データを記憶する。
【００２１】
楽曲データは、個々の楽曲を特定するための識別情報（楽曲ＩＤ）が付与されている。個々の楽曲は、複数の演奏区間から構成されている。演奏区間は、前奏区間、歌唱区間、間奏区間、及び後奏区間を含む。一般に、一の楽曲について歌唱区間は複数存在する。また、一の歌唱区間は、Ａメロ、Ｂメロ、サビといった複数の歌唱区間に細分化することができる。前奏区間は、最初の歌唱区間の前に設けられた演奏のみの区間（カラオケ歌唱に対応する歌詞が無い区間）であり、後奏区間は、最後の歌唱区間の後に設けられた演奏のみの区間である。間奏区間は、複数の歌唱区間がある場合に、歌唱区間と歌唱区間の間に設けられた演奏のみの区間である。なお、カラオケ演奏においては利用者の歌い出しのために前奏区間が必要であるが、楽曲によっては後奏区間を持たない場合もある。
【００２２】
たとえば、図２に示すように、ある楽曲Ｘについての演奏区間は、前奏区間Ｘ１、第１歌唱区間Ｘ２、第２歌唱区間Ｘ３、間奏区間Ｘ４、第３歌唱区間Ｘ５、及び後奏区間Ｘ６で構成されている。また、この場合、前奏区間Ｘ１の演奏開始時点がタイミングＰ０となり、第１歌唱区間Ｘ２の演奏開始時点がタイミングＰ１となり、第２歌唱区間Ｘ３の演奏開始時点がタイミングＰ２となり、間奏区間Ｘ４の演奏開始時点がタイミングＰ３となり、第３歌唱区間Ｘ５の演奏開始時点がタイミングＰ４となり、後奏区間Ｘ６の演奏開始時点がタイミングＰ５となる。すなわち、前奏区間Ｘ１はタイミングＰ０から（Ｐ０を含む）タイミングＰ１まで（Ｐ１を含まない）、以下同様に、第１歌唱区間Ｘ２はタイミングＰ１からタイミングＰ２まで、第２歌唱区間Ｘ３はタイミングＰ２からタイミングＰ３まで、間奏区間Ｘ４はタイミングＰ３からタイミングＰ４まで、第３歌唱区間Ｘ５はタイミングＰ４からタイミングＰ５まで、後奏区間Ｘ６はタイミングＰ５からタイミングＰ６までとなる。
【００２３】
楽曲データは、伴奏データ、リファレンスデータ、背景画像データ、ガイドボーカルデータ、歌詞データ及び属性情報を含む。伴奏データは、カラオケ演奏及びＢＧＭ演奏の元となるＭＩＤＩ形式のデータである。伴奏データは、上述の演奏区間及びタイミングが設定されている。リファレンスデータは、利用者によるカラオケ歌唱を採点する際の基準として用いられるデータである。背景画像データは、カラオケ演奏時に合わせて表示装置３０等に表示される背景画像に対応するデータである。ガイドボーカルデータは、カラオケ歌唱時にガイドボーカル機能を利用する際に用いる歌唱データである。ガイドボーカル機能は、予め登録されたガイドボーカル（プロの歌手等による歌唱）を楽曲演奏と併せて再生するものである。カラオケ装置の利用者は、ガイドボーカルをお手本とすることにより、あまり知らない楽曲であっても気軽に歌唱できる。歌詞データは、表示装置３０等に表示させる歌詞（歌詞テロップ）に関するデータである。属性情報は、曲名、歌手名、作詞・作曲者名、及びジャンル等の当該楽曲に関する情報である。
【００２４】
音響処理部１４は、制御部１１（演奏制御部１００）の制御に基づき、楽曲データの処理、及びマイク４０を通じて入力された歌唱音声信号の処理を行う。音響処理部１４は、たとえばＭＩＤＩ音源、ミキサ、アンプ（いずれも図示なし）を含む。たとえば、制御部１１は、ある楽曲の伴奏データを、テンポクロック信号に基づいて順次読み出し、ＭＩＤＩ音源に入力する。ＭＩＤＩ音源は、当該伴奏データに基づいて楽曲演奏に用いる楽音信号を生成する。ミキサは、当該楽音信号およびマイク４０から出力される歌唱音声信号を適当な比率でミキシングしてアンプに出力する。アンプは、ミキサからのミキシング信号を増幅し、放音信号としてスピーカ２０へ出力する。これにより、スピーカ２０からは放音信号に基づく演奏音およびマイク４０からの歌唱音声が放音される。
【００２５】
本実施形態における音響処理部１４は、伴奏データに基づいて、カラオケ演奏及びＢＧＭ演奏に用いる放音信号を生成することができる。たとえば、楽曲ＸのＢＧＭ演奏を行う場合、音響処理部１４は、楽曲Ｘの伴奏データを記憶部１３から読み出し、ＢＧＭ演奏に用いる放音信号を生成する。同様に、楽曲Ｘのカラオケ演奏を行う場合、音響処理部１４は、楽曲Ｘの伴奏データを記憶部１３から読み出し、カラオケ演奏に用いる放音信号を生成する。
【００２６】
表示処理部１５は、制御部１１（表示制御部２００）の制御に基づき、表示装置３０における各種表示に関する処理を行う。たとえば、表示処理部１５は、カラオケ演奏時における背景画像に歌詞や各種アイコンが重ねられた映像を表示装置３０に表示させる処理を行う。
【００２７】
操作部１６は、パネルスイッチおよびリモコン受信回路などからなり、利用者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２８】
リモコン装置５０は、カラオケ本体１０に対する各種操作をおこなうための装置である。利用者はリモコン装置５０を用いて歌唱を希望するカラオケ楽曲の選曲（予約）等を行うことができる。
【００２９】
［演奏制御部］
演奏制御部１００は、音響処理部１４を制御し、放音信号に基づいて、カラオケ演奏音またはＢＧＭ演奏音をスピーカ２０から放音させる。
【００３０】
カラオケ装置１は、カラオケ演奏用のモードとＢＧＭ演奏用のモードを有している。演奏制御部１００は、ＢＧＭ演奏用のモードにおいて、音響処理部１４で生成されたＢＧＭ演奏用の放音信号に基づくＢＧＭ演奏音をスピーカ２０から放音させる。また、楽曲の予約があった場合（或いは後述のカラオケ演奏への切り替え指示があった場合）、演奏制御部１００は、カラオケ演奏用のモードにおいて、音響処理部１４で生成されたカラオケ演奏用の放音信号に基づくカラオケ演奏音をスピーカ２０から放音させる。なお、カラオケ演奏用のモードでは、カラオケ演奏の他、歌詞データに基づく歌詞表示の機能や、カラオケ歌唱を採点する機能が実行される。
【００３１】
なお、ＢＧＭ演奏される楽曲は、記憶部１３に記憶されている楽曲の中からランダムに選ばれる。或いは、利用者が自己の利用者ＩＤでカラオケ装置１にログインしている場合、当該利用者の歌唱履歴に基づいて、過去にカラオケ歌唱したことのある楽曲、好みのジャンルや歌手の楽曲等を優先的にＢＧＭ演奏してもよい。或いは、配信されて間もない新曲を宣伝のためにＢＧＭ演奏してもよい。
【００３２】
また、本実施形態に係る演奏制御部１００は、ある楽曲のＢＧＭ演奏中に、当該ある楽曲のカラオケ演奏への切り替え指示があった場合、当該切り替え指示があった時点で演奏されている演奏区間の演奏が終了するまでＢＧＭ演奏を行った後、所定の歌唱区間からカラオケ演奏を開始させる。
【００３３】
たとえば、楽曲ＸがＢＧＭ演奏されている場合に、それを聴いた利用者が楽曲Ｘのカラオケ歌唱を行いたいと考えたとする。この場合、利用者は、リモコン装置５０等の表示画面に表示されたアイコン（たとえば「ＢＧＭ演奏中の楽曲をカラオケ歌唱する」）を選択することで切り替え指示を行う。
【００３４】
演奏制御部１００は、当該選択（切り替え指示）に応じて、楽曲ＸのＢＧＭ演奏からカラオケ演奏への切り替え（ＢＧＭ演奏用のモードからカラオケ演奏用のモードへの切り替え）を行う。この際、演奏制御部１００は、切り替え指示があった時点で演奏されている演奏区間の演奏が終了するまでＢＧＭ演奏を継続して行う。たとえば、図２で示した楽曲ＸがＢＧＭ演奏されている場合に、第２歌唱区間Ｘ３の途中で切り替え指示があったとする。この場合、演奏制御部１００は、第２歌唱区間Ｘ３の演奏が終了するまでＢＧＭ演奏を行う。
【００３５】
そして、演奏制御部１００は、ＢＧＭ演奏の終了に続いて所定の歌唱区間からカラオケ演奏を開始させることで、カラオケ演奏への切り替えを行う。
【００３６】
ここで一例として、切り替え指示のタイミング（切り替え指示があった演奏区間。但し後演奏区間を除く）に関わらず、ある特定の一歌唱区間を所定の歌唱区間とすることが可能である。具体的には、演奏制御部１００は、図２で示した楽曲Ｘの前奏区間Ｘ１〜第３歌唱区間Ｘ５いずれのＢＧＭ演奏中に切り替え指示があった場合であっても、当該演奏区間が終了するまでＢＧＭ演奏を行い、その後、第１歌唱区間Ｘ２の最初から（タイミングＰ１の時点から）カラオケ演奏を開始させることができる（図３参照）。この場合、第１歌唱区間Ｘ２が「所定の歌唱区間」に相当する。なお、後奏区間Ｘ６のＢＧＭ演奏中に切り替え指示があった場合、一般的に後奏区間の終了後すなわち楽曲の終了後にスムーズに歌唱区間につなぐことは困難であるため、前奏区間Ｘ１の最初から（タイミングＰ０の時点から）カラオケ演奏を開始させることができる。以後の他の例においても同様である。
【００３７】
また、演奏区間毎に所定の歌唱区間を設定しておくことも可能である。この場合、記憶部１３は、各楽曲の演奏区間毎に、所定の歌唱区間を予め対応付けて記憶する。たとえば、図２で示した楽曲Ｘについて、前奏区間Ｘ１及び第１歌唱区間Ｘ２には第１歌唱区間Ｘ２を所定の歌唱区間として対応付け、第２歌唱区間Ｘ３及び間奏区間Ｘ４には第２歌唱区間Ｘ３を所定の歌唱区間として対応付け、第３歌唱区間Ｘ５には第３歌唱区間Ｘ５を所定の歌唱区間として対応付けることができる。後奏区間Ｘ６のＢＧＭ演奏中に切り替え指示があった場合は前述の通りである。この場合、たとえば、演奏制御部１００は、楽曲Ｘの第１歌唱区間Ｘ２において切り替え指示があった場合、第１歌唱区間Ｘ２の演奏が終了するまで（タイミングＰ２の時点まで）ＢＧＭ演奏を行い、その後、第１歌唱区間Ｘ２の最初から（タイミングＰ１の時点から）カラオケ演奏を開始させる（図４参照）。或いは、演奏制御部１００は、間奏区間Ｘ４において切り替え指示があった場合、間奏区間Ｘ４の演奏が終了するまで（タイミングＰ４の時点まで）ＢＧＭ演奏を行い、その後、第２歌唱区間Ｘ３の最初から（タイミングＰ２の時点から）カラオケ演奏を開始させる（図４参照）。
【００３８】
更に、演奏区間をより細分化し、それに合わせてカラオケ演奏を開始する所定の歌唱区間をより細かく設定することも可能である。
【００３９】
たとえば、図２で示した楽曲Ｘの演奏区間のうち、第１歌唱区間Ｘ２、第２歌唱区間Ｘ３、及び第３歌唱区間Ｘ５をそれぞれＡメロ、Ｂメロ、サビの歌唱区間に細分化し、それぞれに所定の歌唱区間を設定することができる（図５参照）。図５において、前奏区間Ｘ１の演奏開始時点がタイミングＰ０となり、第１歌唱区間Ｘ２のＡメロ歌唱区間Ｘ２−１の演奏開始時点がタイミングＰ１となり、第１歌唱区間Ｘ２のＢメロ歌唱区間Ｘ２−２の演奏開始時点がタイミングＰ２となり、第１歌唱区間Ｘ２のサビ歌唱区間Ｘ２−３の演奏開始時点がタイミングＰ３となり、第２歌唱区間Ｘ３のＡメロ歌唱区間Ｘ３−１の演奏開始時点がタイミングＰ４となり、第２歌唱区間Ｘ３のＢメロ歌唱区間Ｘ３−２の演奏開始時点がタイミングＰ５となり、第２歌唱区間Ｘ３のサビ歌唱区間Ｘ３−３の演奏開始時点がタイミングＰ６となり、間奏区間Ｘ４の演奏開始時点がタイミングＰ７となり、第３歌唱区間Ｘ５のＡメロ歌唱区間Ｘ５−１の演奏開始時点がタイミングＰ８となり、第３歌唱区間Ｘ５のＢメロ歌唱区間Ｘ５−２の演奏開始時点がタイミングＰ９となり、第３歌唱区間Ｘ５のサビ歌唱区間Ｘ５−３の演奏開始時点がタイミングＰ１０となり、後奏区間Ｘ６の演奏開始時点がタイミングＰ１１となる。すなわち、前奏区間Ｘ１はタイミングＰ０から（Ｐ０を含む）Ｐ１まで（Ｐ１を含まない）、以下同様に、第１歌唱区間Ｘ２のＡメロ歌唱区間Ｘ２−１はタイミングＰ１からタイミングＰ２まで、第１歌唱区間Ｘ２のＢメロ歌唱区間Ｘ２−２はタイミングＰ２からタイミングＰ３まで、第１歌唱区間Ｘ２のサビ歌唱区間Ｘ２−３はタイミングＰ３からタイミングＰ４まで、第２歌唱区間Ｘ３のＡメロ歌唱区間Ｘ３−１はタイミングＰ４からタイミングＰ５まで、第２歌唱区間Ｘ３のＢメロ歌唱区間Ｘ３−２はタイミングＰ５からタイミングＰ６まで、第２歌唱区間Ｘ３のサビ歌唱区間Ｘ３−３はタイミングＰ６からタイミングＰ７まで、間奏区間Ｘ４はタイミングＰ７からタイミングＰ８まで、第３歌唱区間Ｘ５のＡメロ歌唱区間Ｘ５−１はタイミングＰ８からタイミングＰ９まで、第３歌唱区間Ｘ５のＢメロ歌唱区間Ｘ５−２はタイミングＰ９からタイミングＰ１０まで、第３歌唱区間Ｘ５のサビ歌唱区間Ｘ５−３はタイミングＰ１０からタイミングＰ１１まで、後奏区間Ｘ６はタイミングＰ１１からタイミングＰ１２までとなる。
【００４０】
この場合、記憶部１３は、たとえば、前奏区間Ｘ１、各歌唱区間のサビ、及び間奏区間Ｘ４には第１歌唱区間Ｘ２のＡメロ歌唱区間Ｘ２−１を所定の歌唱区間として対応付け、各歌唱区間のＡメロ歌唱区間には第１歌唱区間Ｘ２のＢメロ歌唱区間Ｘ２−２を所定の歌唱区間として対応付け、各歌唱区間のＢメロには第１歌唱区間Ｘ２のサビ歌唱区間Ｘ２−３を所定の歌唱区間として対応付けることができる。後奏区間Ｘ６のＢＧＭ演奏中に切り替え指示があった場合は前述の通りである。
【００４１】
演奏制御部１００は、いずれかの歌唱区間のＡメロにおいて切り替え指示があった場合、Ａメロの演奏が終了するまで（タイミングＰ２、Ｐ５、またはＰ９の時点まで）ＢＧＭ演奏を行い、その後、第１歌唱区間Ｘ２のＢメロ歌唱区間Ｘ２−２から（タイミングＰ２の時点から）カラオケ演奏を開始させる（図６参照）。或いは、演奏制御部１００は、第１歌唱区間Ｘ２のサビにおいて切り替え指示があった場合、第１歌唱区間Ｘ２のサビの演奏が終了するまで（タイミングＰ４の時点まで）ＢＧＭ演奏を行い、その後、第１歌唱区間Ｘ２のＡメロ歌唱区間Ｘ２−１から（タイミングＰ１の時点から）カラオケ演奏を開始させる（図６参照）。
【００４２】
上述の所定の歌唱区間の設定はあくまでも一例であり、様々な態様で設定することが可能である。たとえば、図２で示した楽曲Ｘについて、前奏区間Ｘ１には第１歌唱区間Ｘ２を所定の歌唱区間として対応付け、第１歌唱区間Ｘ２には第２歌唱区間Ｘ３を所定の歌唱区間として対応付け、第２歌唱区間Ｘ３及び間奏区間Ｘ４には第３歌唱区間Ｘ５を所定の歌唱区間として対応付けることができる。後奏区間Ｘ６のＢＧＭ演奏中に切り替え指示があった場合は前述の通りである。なお、所定の歌唱区間は、ＢＧＭ演奏からカラオケ演奏に切り替えた場合に、利用者や聴衆が各演奏を違和感なく（自然に）聴くことができることが好ましい。
【００４３】
［表示制御部］
表示制御部２００は、カラオケ装置１における各種表示制御を行う。たとえば、表示制御部２００は、表示処理部１５を制御し、上述の切り替え指示用のアイコンをリモコン装置５０の表示画面に表示させる。或いは、表示制御部２００は、表示処理部１５を制御し、ＢＧＭ演奏の終了が近くなった時点で、表示装置３０に「まもなくカラオケ演奏が始まります」といったメッセージ、或いはカラオケ演奏開始までの時間のカウントダウン表示を行うことで、利用者が歌い出しのタイミングを把握し易いようにできる。
【００４４】
＝＝カラオケ装置１の動作について＝＝
次に、図７を参照して本実施形態におけるカラオケ装置１の動作の具体例について述べる。図７は、カラオケ装置１の動作例を示すフローチャートである。
【００４５】
カラオケ歌唱の予約が入ってない場合、演奏制御部１００は、ある楽曲のＢＧＭ演奏を行う（ＢＧＭ演奏。ステップ１０）。
【００４６】
ある楽曲について、利用者よりＢＧＭ演奏からカラオケ演奏への切り替え指示があった場合（ステップ１１でＹの場合）、まず、演奏制御部１００は、切り替え指示があった時点で演奏されている演奏区間の演奏が終了するまでＢＧＭ演奏を継続して行う（演奏区間の演奏終了までＢＧＭ演奏を継続。ステップ１２）。
【００４７】
その後、演奏制御部１００は、所定の歌唱区間からカラオケ演奏を開始させる（所定の歌唱区間からカラオケ演奏を開始。ステップ１３）。演奏制御部１００は、所定の歌唱区間からある楽曲のカラオケ演奏が終了（ステップ１４でＹの場合）するまで、カラオケ演奏を行う。演奏終了時点までにカラオケ歌唱の新たな予約が無い場合（ステップ１５でＮの場合）、カラオケ装置１は、ステップ１０に戻って、別の楽曲のＢＧＭ演奏を開始する。一方、演奏終了時点までにカラオケ歌唱の新たな予約があった場合（ステップ１５でＹの場合）、演奏制御部１００は、予約された楽曲について、通常のカラオケ演奏（前奏区間からのカラオケ演奏）を行う（予約された楽曲のカラオケ演奏。ステップ１６）。
【００４８】
このように本実施形態に係るカラオケ装置１は、前奏区間、歌唱区間、間奏区間、及び後奏区間を含む複数の演奏区間から構成される楽曲の伴奏データを記憶する記憶部１３と、伴奏データに基づいて、カラオケ演奏、及びカラオケ歌唱の予約が入っていない時間帯に行うＢＧＭ演奏に用いる放音信号を生成する音響処理部１４と、放音信号に基づいて、ＢＧＭ演奏音またはカラオケ演奏音をスピーカ２０から放音させる演奏制御部１００を有する。また、演奏制御部１００は、ある楽曲のＢＧＭ演奏中に、当該ある楽曲のカラオケ演奏への切り替え指示が後奏区間以外であった場合、当該切り替え指示があった時点で演奏されている演奏区間の演奏が終了するまでＢＧＭ演奏を行った後、所定の歌唱区間からカラオケ演奏を開始させる。カラオケ演奏への切り替え指示が後奏区間であった場合には前奏区間からカラオケ演奏を開始させる。
【００４９】
このようなカラオケ装置１によれば、利用者がＢＧＭ演奏中の楽曲をカラオケ歌唱したいと考えて切り替え指示を行った場合であっても、当該切り替え指示を行った時点の演奏区間についてはＢＧＭ演奏が継続される。よって、すぐにＢＧＭ演奏が中止されることが無いため、利用者や聴衆はカラオケ演奏の開始まで楽曲演奏が無いことによる違和感を持つことが無い。一方、ＢＧＭ演奏を中止した後に、連続してカラオケ演奏が開始されることにより、予約楽曲が再生されるまでに時間を要することが無い。更に、後奏区間で切り替え指示を行った場合を除き、歌唱区間からカラオケ演奏が開始されるため利用者は直ぐにカラオケ歌唱を行うことができるため、興趣性が削がれることない。すなわち、本実施形態に係るカラオケ装置１によれば、ＢＧＭ演奏されている楽曲を歌唱したいと考えた利用者が違和感を持つことなく、当該楽曲のカラオケ歌唱をスムーズに行うことが可能となる。
【００５０】
＜その他＞
なお、演奏制御部１００は、カラオケ演奏及びＢＧＭ演奏に合わせて、ガイドボーカルを放音させることも可能である。この際、演奏制御部１００は、ＢＧＭ演奏に合わせて第１の音量でガイドボーカルデータに基づく音声を放音させ、所定の歌唱区間からのカラオケ演奏に合わせて第１の音量よりも小さい第２の音量でガイドボーカルデータに基づく音声を放音させることができる。
【００５１】
ＢＧＭ演奏に合わせてガイドボーカルデータに基づく音声（ガイドボーカル音声）を放音させることにより、利用者は、ＢＧＭ演奏されている楽曲の歌詞や歌いまわし等を把握できる。よって、利用者は、当該楽曲をカラオケ歌唱するかどうかをより判断し易くなる。また、ＢＧＭ演奏時は、ガイドボーカル音声をある程度大きい音量で放音させてもカラオケ歌唱の邪魔になることが無い。一方、カラオケ演奏時には、カラオケ歌唱の邪魔にならないよう、放音するガイドボーカル音声の音量をＢＧＭ演奏時に比べて（カラオケ歌唱の歌唱支援ができる程度に）小さくすることが好ましい。そこで、演奏制御部１００は、カラオケ演奏時には、ＢＧＭ演奏時よりも小さい音量でガイドボーカル音声を放音する。
【００５２】
また、表示制御部２００は、所定の歌唱区間からのカラオケ演奏が開始された場合に、歌詞データに基づいて、ある楽曲の歌詞を表示装置３０またはリモコン装置５０に表示させることも可能である。このように、カラオケ演奏の開始に合わせて歌詞を表示させることにより、利用者はカラオケ演奏用のモードに切り替わったことを容易に把握できる。表示装置３０またはリモコン装置５０は、「表示部」の一例である。
【００５３】
また、ＢＧＭ演奏中や、切り替え指示に応じてカラオケ演奏を開始した後に、通常の楽曲予約がなされた場合、演奏制御部１００は、現在行われているＢＧＭ演奏またはカラオケ演奏を中止し、予約された楽曲のカラオケ演奏を優先的に行ってもよい。
【００５４】
また、切り替え指示について、上記実施形態ではリモコン装置５０等の表示画面に表示されたアイコンを選択する例について述べたが、その代わりに、カラオケ装置１の操作部１６を介して直接切り替え指示を行うよう構成することも可能である。或いは、利用者が所有する携帯端末（スマートフォン等）で専用のアプリケーションソフトウェア（アプリ）を実行し、当該アプリを介して切り替え指示を行うことも可能である。
【００５５】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５６】
１  カラオケ装置
１３  記憶部
１４  音響処理部
１００  演奏制御部
２００  表示制御部
【図１】
2019082571.tif 000003
【図２】
2019082571.tif 000004
【図３】
2019082571.tif 000005
【図４】
2019082571.tif 000006
【図５】
2019082571.tif 000007
【図６】
2019082571.tif 000008
【図７】
2019082571.tif 000009